【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
特定領域と、その特定領域とは異なる普通領域と、遊技媒体を前記特定領域又は前記普通領域のいずれかに振り分ける振り分け部と、前記特定領域を通過する遊技媒体を検出する特定領域通過検出手段と、その特定領域通過検出手段により前記遊技媒体が検出された場合に、該検出前と比較して遊技者に有利な遊技価値が付与され得る遊技状態へ移行する移行手段とを備えた遊技機において、
遊技の状況を把握する遊技状況把握手段と、
該遊技機本体又は該遊技機近傍における状態の変化を検出する状態検出手段と、
その状態検出手段により前記状態の変化が検出され、かつ、前記遊技状況把握手段により把握された遊技の状況が所定の状況であった場合に、該状態検出手段により検出された前記状態の変化が有意な変化であると判定する第１状態判定手段とを備えていることを特徴とする遊技機。
【請求項２】
遊技状況把握手段は、前記振り分け部を少なくとも含む所定の監視領域内に前記遊技媒体が存在するか否かを判定するものであり、
第１状態判定手段は、前記状態検出手段により前記状態の変化が検出され、かつ、前記遊技状況把握手段により前記監視領域内に前記遊技媒体が存在すると判定された場合に、該状態検出手段により検出された前記状態の変化が有意な変化であると判定するものであることを特徴とする請求項１記載の遊技機。
【請求項３】
前記特定領域、前記普通領域、前記振り分け部、前記遊技媒体を進入させる入口、及び前記遊技媒体を排出する出口を有する入賞装置と、
前記入口から前記入賞装置へ進入する前記遊技媒体を検出する進入検出手段と、
前記出口を介して前記入賞装置から排出される前記遊技媒体を検出する排出検出手段と、
前記進入検出手段による検出と前記排出検出手段による検出とに基づいて、前記入賞装置に進入した前記遊技媒体の残存数を取得する残存数取得手段とを備え、
前記監視領域は、前記入賞装置であり、
前記遊技状況把握手段は、前記残存数取得手段により取得された残存数が１以上である場合に、前記監視領域内に前記遊技媒体が存在すると判定するものであることを特徴とする請求項２記載の遊技機。
【請求項４】
前記監視領域へ進入する前記遊技媒体を検出する進入検出手段を備え、
前記遊技状況把握手段は、前記監視領域へ進入する前記遊技媒体が前記進入検出手段により検出された場合に、前記監視領域内に前記遊技媒体が存在すると判定するものであることを特徴とする請求項２又は３に記載の遊技機。
【請求項５】
前記遊技媒体が前記進入検出手段により検出されてからの第１経過期間を計測する第１計測手段を備え、
前記遊技状況把握手段は、前記第１計測手段により計測される前記第１経過期間が予め規定された第１監視期間を超える前に、前記監視領域へ進入する前記遊技媒体が前記進入検出手段により検出された場合に、前記監視領域内に前記遊技媒体が存在すると判定するものであることを特徴とする請求項４記載の遊技機。
【請求項６】
前記特定領域、前記普通領域、前記振り分け部、前記遊技媒体を進入させる入口、及び、前記入口近傍に配設され、常態において該入口への前記遊技媒体の侵入を困難とする第１位置とその第１位置に比べて前記入口への前記遊技媒体の侵入を容易とする第２位置とを取り得る可変部材を有する入賞装置と、
その入賞装置の外側における所定位置を通過する前記遊技媒体を検出する遊技媒体通過検出手段と、
その遊技媒体通過検出手段により前記遊技媒体の通過が検出された場合に、前記可変部材の位置を前記第１位置から第２位置へ変更する位置変更手段とを備え、
前記遊技状況把握手段は、前記遊技媒体通過検出手段により前記遊技媒体の通過が検出されたか否かを把握するものであり、
第１状態判定手段は、前記状態検出手段により前記状態の変化が検出され、かつ、前記遊技状況把握手段により前記遊技媒体通過検出手段により前記遊技媒体の通過が検出された場合に、該状態検出手段により検出された前記状態の変化が有意な変化であると判定するものであることを特徴とする請求項１から５のいずれかに記載の遊技機。
【請求項７】
前記遊技媒体通過検出手段により前記遊技媒体の通過が検出されてからの第２経過期間を計測する第２計測手段を備え、
第１状態判定手段は、前記第２計測手段により計測される前記第２経過期間が予め規定された第２監視期間を超える前に、前記遊技媒体通過検出手段により前記遊技媒体の通過が検出された場合に、該状態検出手段により検出された前記状態の変化が有意な変化であると判定するものであることを特徴とする請求項６記載の遊技機。
【手続補正２】
【補正対象書類名】明細書
【補正対象項目名】００１３
【補正方法】変更
【補正の内容】
【００１３】
請求項５記載の遊技機は、請求項４記載の遊技機において、前記遊技媒体が前記進入検出手段により検出されてからの第１経過期間を計測する第１計測手段を備え、前記遊技状況把握手段は、前記第１計測手段により計測される前記第１経過期間が予め規定された第１監視期間を超える前に、前記監視領域へ進入する前記遊技媒体が前記進入検出手段により検出された場合に、前記監視領域内に前記遊技媒体が存在すると判定するものである。
【手続補正３】
【補正対象書類名】明細書
【補正対象項目名】００１５
【補正方法】変更
【補正の内容】
【００１５】
請求項７記載の遊技機は、請求項６記載の遊技機において、前記遊技媒体通過検出手段により前記遊技媒体の通過が検出されてからの第２経過期間を計測する第２計測手段を備え、第１状態判定手段は、前記第２計測手段により計測される前記第２経過期間が予め規定された第２監視期間を超える前に、前記遊技媒体通過検出手段により前記遊技媒体の通過が検出された場合に、該状態検出手段により検出された前記状態の変化が有意な変化であると判定するものである。
【手続補正４】
【補正対象書類名】明細書
【補正対象項目名】００３１
【補正方法】変更
【補正の内容】
【００３１】
請求項５記載の遊技機によれば、請求項４記載の遊技機が奏する効果に加えて、次の効果を奏する。監視領域へ進入する遊技媒体が進入検出手段により検出された場合に、監視領域内に遊技媒体が存在すると遊技状況把握手段によって判定されるが、監視領域内に遊技媒体が存在するとの判定は、遊技媒体が進入検出手段により検出されてから第１計測手段によって計測される第１経過期間が予め規定された第１監視期間の範囲内にある場合に限定される。
【手続補正５】
【補正対象書類名】明細書
【補正対象項目名】００３３
【補正方法】変更
【補正の内容】
【００３３】
よって、監視領域内に遊技媒体が存在するとの判定を、遊技媒体が進入検出手段により検出されてから第１計測手段によって計測される第１経過期間を所定の期間（第１監視期間）の範囲内に限定することにより、監視領域内（例えば、入賞装置の内部）に遊技媒体が存在する状況、即ち、遊技媒体が振り分け部近傍にある可能性が高く、不正行為が強く疑われる状況を確実に把握することができる。
【手続補正６】
【補正対象書類名】明細書
【補正対象項目名】００３９
【補正方法】変更
【補正の内容】
【００３９】
請求項７記載の遊技機によれば、請求項６記載の遊技機が奏する効果に加えて、次の効果を奏する。遊技媒体通過検出手段による遊技媒体の通過の検出が遊技状況把握手段によって把握された場合に、状態検出手段によって遊技機本体又は遊技機近傍における状態の変化が検出されると、その状態の変化が不正行為などに起因する異常を疑い得る有意な変化であると第１状態判定手段により判定されるが、その判定は、遊技媒体通過検出手段による遊技媒体の通過が検出されてから第２計測手段によって計測される第２経過期間が予め規定された第２監視期間の範囲内にある場合に限定される。
【手続補正７】
【補正対象書類名】明細書
【補正対象項目名】００４１
【補正方法】変更
【補正の内容】
【００４１】
よって、状態検出手段により検出された状態の変化が不正行為などに起因する異常を疑い得る有意な変化であるとの判定を、遊技媒体通過検出手段による遊技媒体の通過が検出されてから第２計測手段によって計測される第２経過期間を所定の期間（第２監視期間）の範囲内に限定することにより、入賞装置の内部に遊技媒体が存在する可能性が高い状況、即ち、遊技媒体が振り分け部近傍にある可能性があり、不正行為が疑われる状況を確実に把握することができる。
【手続補正８】
【補正対象書類名】明細書
【補正対象項目名】０５９８
【補正方法】変更
【補正の内容】
【０５９８】
１０                      パチンコ機（遊技機）
３３                      役物可変入賞装置（入賞装置）
３３ａ１                  開閉部材（可変部材）
３３ａ３                  役物入賞検出スイッチ（進入検出手段）
３３ａ８ａ                入口
３３ｂ４ａ                Ｖ案内部（特定領域）
３３ｂ４ｂ                非Ｖ案内部（普通領域）
３３ｂ６                  回転体（振り分け部）
３３ｂ８                  Ｖ入賞検出スイッチ（特定領域通過検出手段）
８０                      衝撃センサ（状態検出手段）
２２２Ｌ                  開放口スイッチ（遊技媒体通過検出手段）
２２２Ｃ                  開放口スイッチ（遊技媒体通過検出手段）
２２２Ｒ                  開放口スイッチ（遊技媒体通過検出手段）
２２３                    非Ｖ入賞検出スイッチ（排出検出手段）
５２３ａ                  役物通過カウンタ（残存数取得手段）
５２３ｆ                  第１監視カウンタ（第２計測手段）
５２３ｇ                  第２監視カウンタ（第１計測手段）